(57)【要約】【課題】            従来の連結部材にあって着脱ともにワンタッチで、しかも容易に行なえ、また、美観的にも優れ、コスト的にも安価で済むというものがなかったという点である。【解決手段】        対となる受体と、その受体に形成された挿し込み部に挿し込まれる挿し込み片を備えた挿し込み体とより成り、前記挿し込み片は断面略Ｌ字形とされ、その略Ｌ字形とされた挿し込み片の後壁面が、受体の挿し込み部に形成された係合部と係合されることとし、前記した受体の挿し込み部は平行状態で複数個が設けられていることとし、前記した受体の挿し込み部はスリットとし、そのスリットに向け、挿し込み体の挿し込み片の挿し込みガイドとなる勾配面が形成されていることとする。【選択図】          図２
2011096424.tif 000002
【特許請求の範囲】
【請求項１】
対となる受体と、その受体に形成された挿し込み部に挿し込まれる挿し込み片を備えた挿し込み体とより成り、前記挿し込み片は断面略Ｌ字形とされ、その略Ｌ字形とされた挿し込み片の後壁面が、受体の挿し込み部に形成された係合部と係合されることを特徴とする連結部材。
【請求項２】
前記した受体の挿し込み部は平行状態で複数個が設けられていることを特徴とする請求項１に記載の連結部材。
【請求項３】
前記した受体の挿し込み部はスリットとし、そのスリットに向け、挿し込み体の挿し込み片の挿し込みガイドとなる勾配面が形成されていることを特徴とする請求項１乃至２のいずれか１項に記載の連結部材。
【請求項４】
前記受体の挿し込み部であるスリットは補強リブによって２つに分割されており、前記挿し込み体の挿し込み片が２つに分割されていることを特徴とする請求項３に記載の連結部材。
【請求項５】
前記した挿し込み片の後方には係合を補強する補助部が設けられていることを特徴とする請求項１乃至４のいずれか１項に記載の連結部材。
【請求項６】
前記受体の裏面には、前記挿し込み体の挿し込み片の後方から突出して設けられた補助部の後端が挿入できる窪みが設けられていることを特徴とする請求項５に記載の連結部材。
【請求項７】
前記挿し込み体の挿し込み片の後方から突出して設けられた補助部の上面に勾配が設けられていることを特徴とする請求項５に記載の連結部材。
【請求項８】
前記した受体と挿し込み体との連結によって、受体と挿し込み体が装着された対象物はループを形成することを特徴とする請求項１乃至７のいずれか１項に記載の連結部材。
【請求項９】
前記した受体は重合されたベース地上に一体的に固着され、挿し込み部から前記ベース地のうち受体と接する一枚のみをスリットカットし、挿し込み片を挿し込み可能としてあることを特徴とする請求項１乃至８のいずれか１項に記載の連結部材。
【請求項１０】
前記した受体及び挿し込み体は、使用対象の表面にフィットするアールを有していることを特徴とする請求項１乃至９のいずれか１項に記載の連結部材。
【請求項１１】
前記した受体及び挿し込み体は、通気孔が形成されていることを特徴とする請求項１乃至１０のいずれか１項に記載の連結部材。
【請求項１２】
前記挿し込み体の挿し込み片は、断面形状または平面形状としてテーパー形状を有していることを特徴とする請求項１乃至１１のいずれか１項に記載の連結部材。
【請求項１３】
前記連結部材の材質として、弾性を有する樹脂を用いることを特徴とする請求項１乃至１２のいずれか１項に記載の連結部材。
【請求項１４】
前記受体と前記挿し込み体の外周には軟質材を用い、前記受体のスリット周辺と前記挿し込み片には硬質材を用いて形成されたことを特徴とする請求項１乃至１２のいずれか１項に記載の連結部材。
【発明の詳細な説明】
【技術分野】
【０００１】
本発明は分離されている物を連結する連結部材に関し、特にブラジャーのバックベルトに使用し、従来のホック代りとして至便な連結部材に関する。
【背景技術】
【０００２】
従来の連結部材、特にブラジャーのバックベルトを止着するホックは屈曲された金属製のホックを他側のループに引っ掛ける形式となっており、それも複数が並列されている。そのため、装着、取り外しとも作業がしにくく、手先を背面に回すため、肩や上腕等を痛めてしまうこともあった。
【先行技術文献】
【特許文献】
【０００３】
出願人は本願発明に関して、先行する技術文献を調査したが、格別に本願発明と関連し、類似すると思われる文献は発見できなかった。
【発明の概要】
【発明が解決しようとする課題】
【０００４】
本発明が解決しようとする問題点は、従来の連結部材にあって着脱ともにワンタッチで、しかも容易に行なえ、また、美観的にも優れ、コスト的にも安価で済むというものがなかったという点である。
【課題を解決するための手段】
【０００５】
上記した問題点を解決するために、本発明に係る連結部材は、対となる受体と、その受体に形成された挿し込み部に挿し込まれる挿し込み片を備えた挿し込み体とより成り、前記挿し込み片は断面略Ｌ字形とされ、その略Ｌ字形とされた挿し込み片の後壁面が、受体の挿し込み部に形成された係合部と係合されることを特徴としている。【０００６】
また、本発明に係る連結部材は、前記した受体の挿し込み部は平行状態で複数個が設けられていることを特徴とし、前記した受体の挿し込み部はスリットとし、そのスリットに向け、挿し込み体の挿し込み片の挿し込みガイドとなるテーパ面が形成されていることを特徴としている。【０００７】
さらに、本発明に係る連結部材は、前記した挿し込み片の後方には係合を補強する補助部が設けられていることを特徴とし、前記した受体と挿し込み体との連結によって、受体と挿し込み体が装着された対象物はループを形成することを特徴としている。【０００８】
そして、本発明に係る連結部材は、前記した受体は重合されたベース地上に一体的に固着され、挿し込み部から前記ベース地のうち受体と接する一枚のみをスリットカットし、挿し込み片を挿し込み可能としてあることを特徴としている。
【発明の効果】
【０００９】
本発明に係る連結部材は上記のように構成されている。そのため、挿し込み体の挿し込み片はスリップオンの状態で受体の挿し込み部に容易にワンタッチで挿入され、挿し込み片の後面が挿し込み部の係合部と係合することで連結状態が完了する。又、取り外す際も、挿し込み体の挿し込み片の角度をやや持ち上げて変更するのみで簡単に実行でき、特に、伸縮性のある対象物を連結する場合、その引張力で係合状態が保持されることとなり、ブラジャーのバックベルト等に優れた効果を発揮することができる。
【図面の簡単な説明】
【００１０】
【図１】本発明を実施した連結部材を示す平面図である。
【図２】断面図である。
【図３】別の実施例を示す斜視図である。
【図４】連結状態を示す断面図である。
【図５】デザインを施した例を示す平面図である。
【図６】他のデザインを施した例を示す平面図である。
【図７】他のデザインを施した例を示す平面図である。
【図８】他のデザインを施した例を示す平面図である。
【図９】受体の装着工程を示す図である。
【図１０】挿し込み体の装着工程を示す図である。
【図１１】別の実施例の連結状態を示す断面図である。
【図１２】通気孔を設けた連結部材を示す平面図である。
【図１３】スリットに補強リブを設けた連結部材を示す平面図である。
【図１４】別の実施例の連結状態を示す断面図である。
【発明を実施するための形態】
【００１１】
図面として示し、実施例で説明したように構成したことで実現した。
【実施例１】
【００１２】
次に、本発明の好ましい実施の例をブラジャーのバックベルトに装着するものとして図面を参照して説明する。図中１は受体を示している。この受体１は平坦なプラスチック板で成形されており、作用方向に直交する挿し込み部２、２が平行状態で形成されている。そして、この挿し込み部２、２はスリットとされており、その受け入れ側には凹んだアール面を有する、後述する挿し込み片の挿し込みガイドとなるテーパ面３、３が形成されている。【００１３】
また、前記した挿し込み部２、２と沿って形成されるテーパ面３、３の先端は下方へ屈曲突出（切り起こし）されて、後述する挿し込み片の係合部４、４となっている。【００１４】
一方、図中５は挿し込み体を示し、この挿し込み体５も受体１と同質の平坦なプラスチックによって成形されている。この挿し込み体５は、先端側に下方に向け断面が略Ｌ字状の挿し込み片６が一体に形成されているもので、この挿し込み片６を含め、全体としてクランク状となっている。また、この挿し込み片６の後面はやや鋭角とすることで滑りが抑制され、係合効率が向上する。【００１５】
ここで、挿し込み片６を受体１のテーパ面３に沿って挿し込み部２内に挿入し、挿し込み体５を受体１と平行状態とすることで、挿し込み片６の後壁が係合部４と係合し、連結状態が完了する。ここで、受体１、挿し込み体５のいずれも、あるいは一方が伸縮性のある素材の端部に装備されていると、その素材の引張力によって、この係合状態は良好に保持されることとなる。【００１６】
後に詳述する装着工程のように、受体１及び挿し込み体５は各々二折りして重合されたベース地７、７、特に、フレンチパイル（ラッチパイル）上に一体的に固定される。この一体化はインサート成形によっても行なわれる。特に、挿し込み体５はベース地７の折り目部分から、挿し込み片６が突出される状態で装着される。受体１にあっては、ベース地７の受体１と当接する一枚に挿し込み部２、２からカッター刃によりスリットカットを行ない。挿し込み片６が、その受体１と当接するベース地７の下方へ滑り込むことができる構成とする。【００１７】
また、前記したベース地７、７は各々、ブラジャーのバックベルトの両端部へ縫着固定されることとなり、使用者の背面になるべくフィットして沿うよう、緩やかなアールが付けられている。【００１８】
さらに、図３、図４として示すのは本発明に係る連結部材の別の実施例である。受体１ａと挿し込み体５ａとによる挿し込み部２ａと挿し込み片６ａとの係合構造は、前記した実施例と同様であるが、この場合は、挿し込み片６ａの後面に係合を補強する補助部８が突片状として一体に形成されており、この補助部８によって、外圧、外衝による外れ防止の効果が向上する。【００１９】
そして、図５乃至図８として示すのは、各受体、挿し込み体にデザインを施し、使用者の趣味感も満足させることができるように図った例である。図５乃至図８にあっていずれもＡは分離状態、Ｂは端部寄りの挿し込み部に挿し込み片を挿し込んだ状態、Ｃは二つ目の挿し込み部を使用した状態を示している。【００２０】
図５にあっては受体１ｂ、挿し込み体５ｂともに正方形板を位置をずらせて重ねたような立体模様を施してあり、挿し込み片６ｂを挿し込み部２ｂに挿し込んで連結状態とした際に、前記正方形が連続するような外観となる。図６にあっては受体１ｃの中央部分をくびらせた形状とし、挿し込み体５ｃは先端に向けて、徐々に幅狭のものとしてあり、特に、二つ目の挿し込み部２ｃに挿し込み片６ｃを挿し込んだ場合、全体としてＸ字状のような外観となる。【００２１】
また、図７にあっては受体１ｄを、中程をくびれさせた二つの円が連続する形状とし、挿し込み体５ｄは略円形として、その端部に挿し込み片６ｄを突出させた形状としている。端部寄りの挿し込み部２ｄに挿し込み片６ｄを挿し込んだ場合は、あたかも三つの円形が連続する外観となり、二つ目の挿し込み部２ｄを使用した場合、二つの円が連続するダルマ状の外観となる。図８にあっては、受体１ｅ、挿し込み体５ｅともに半楕円形状に形成してあり、挿し込み片６ｅをいずれの挿し込み部２ｅに挿し込んでも全体として楕円形状の外観となる。【００２２】
図９として示すのは、受体１のベース地７への装着工程である。縫着の行ない易さからフレンチパイル（ラッチパイル）を使用したベース地７は平坦なまま、あるいは二重に折り返され、その上面に受体１を重ね、金型に挿入してインサート成形される。この成形は、接着材等の使用でも可能である。ベース地７を平坦として使用した時は、そのままで、又、折り返して使用した時は、そのベース地７を開いて平坦とし、挿し込み部２、２にカッターの刃先を入れ、ベース地７をスリットカット９する。そして、そのスリットカット９、９がなされたベース地７を二折りして重合し、その重合縁は溶着１０を行なう。このベース地７をブラジャーのバックベルトに縫着する場合には、前記溶着１０部分にはかがり縫いを施し、肌への接触感を和らげ、良好なものとする。【００２３】
さらに、図１０として示すのは、挿し込み体５のベース地７への装着工程である。フレンチパイル（ラッチパイル）を使用したベース地７を二折りして重合し、その重合端縁から挿し込み片６が突出する状態で挿し込み体５を重ね、これを金型に挿入してインサート成形される。この成形も接着材等の使用でも可能である。こうして成形後はベース地７の重合縁は溶着１０を行なう。このベース地７をブラジャーのバックベルトに縫着する際には、溶着１０部分にかがり縫いを行なうことは受体１の装着工程と同様である。【００２４】
図１１として示すのは、受体１ｆと挿し込み体５ｆからなる連結部材であって、図３、図４として示した実施例と同様に、挿し込み体５ｆの挿し込み片６ｆの後面に係合を補強する補助部８ｆを突片状として一体に形成したものであり、補助部８ｆの後方への張り出しが、図３、図４として示した実施例よりも大きく形成されている。このように補助部８ｆの後方への張り出しを大きくすることにより、受体１ｆと挿し込み体５ｆの係合をより強固なものとすることができる。【００２５】
そして、前記受体１ｆの裏面には、前記補助部８ｆの後端が挿入できる窪み１１を設けており、図１１（ｂ）に示すように、前記挿し込み片６ｆを前記受体１ｆの挿し込み部２ｆに挿し込んだ状態で前記挿し込み体５ｆを直立状態とした時に、前記補助部８ｆの後端部分が前記窪み１１に挿入されて直立状態が保たれる。【００２６】
さらに、図１１に示す前記挿し込み体５ｆの前記挿し込み片６ｆには、断面形状が先端に向かって細くなるテーパー形状を用いている。このようなテーパー形状を用いることにより、前記挿し込み片６ｆをスムーズに挿し込み部２ｆに挿し込むことができる。また、前記挿し込み片６ｆの平面形状を先端に向かって幅が狭くなるテーパー形状とすることによって、同じ効果をもたらすことも可能である。【００２７】
図１２として示すのは、受体１ｇと挿し込み体５ｇからなる連結部材であって、受体１ｇと挿し込み体５ｇにそれぞれ複数の通気孔１２を設けた実施例である。前記通気孔１２は円形で、受体１ｇに４個、挿し込み体５ｇに５個設けている。このような通気孔１２を設けることにより、ベース地の乾燥を容易にすることが可能となる。前記通気孔１２の形状は円形に限定するものではなく、また個数や大きさについても本実施例に限定するものはなく、受体１ｇと挿し込み体５ｇの強度を損なわない範囲で、形状、大きさおよび個数を適宜決定することができる。【００２８】
そして、図１２に示している挿し込み体５ｇの挿し込み片６ｇの平面形状は先端が先細りのテーパー形状を用いている。このようなテーパー形状を用いることで、前記挿し込み片６ｇをスムーズに挿し込み部２ｇに挿し込むことができる。【００２９】
図１３として示すのは、受体１ｈと挿し込み体５ｈからなる連結部材であって、受体１ｈの挿し込み部２ｈであるスリットを補強リブ１３によって２つに分割したものである。これに伴い、前記挿し込み体５ｈの挿し込み片６ｈも２つに分割しており、分割された２つの挿し込み片６ｈが分割された挿し込み部２ｈのそれぞれに挿入されて結合される。補強リブ１３を設けることにより、連結部材を繰り返し使用した場合に挿し込み部２ｈのスリットが広がり結合状態が弱くなるのを防ぐことが可能となる。１つの挿し込み部に補強リブを複数設けることも可能である。【００３０】
図１４として示すのは、受体１ｉと挿し込み体５ｉからなる連結部材であって、挿し込み体５ｉの挿し込み片６ｉの後面に係合を補強する補助部８ｉを突片状として一体に形成したものであり、補助部８ｉの上面に勾配を設けてはずれを防止したものである。さらに、前記受体１ｉの裏面には、前記補助部８ｉの後端の勾配に合わせた窪み１１ｉを設けることにより、さらに外れ難くしたものである。【００３１】
ここまで、様々な形態の連結部材について述べてきたが、連結部材に使用する材質としては、弾性良好な樹脂を用いることが好ましい。このような材質を用いることで折り曲げても復元する性質を有することが繰り返し使用する連結部材には求められる。さらに、受体と挿し込み体の外周には、肌触りをよくするために軟質材を用い、さらに、受体のスリット周辺と挿し込み片には、強度が必要となるので硬質材を用いた複合材質を使用することが好ましい。
【産業上の利用可能性】
【００３２】
本実施例に係る連結部材は上記のように構成されている。この実施例ではブラジャーのホック代用として述べているが、これに限らず、ベルトのバックルやバッグ、袋物、財布等の開口閉塞用としても利用でき、広範囲の対象に応用実施することができる。【００３３】
また、受体と挿し込み体の素材についても、プラスチックに限らず、可塑性を有する金属でも成形は可能であり、挿し込み部もスリットに限らず列設する透孔とし、挿し込み片もこれに対応して櫛歯状、フォーク状等の隙間のある構成とすることもできる。
【符号の説明】
【００３４】
１    受体
１ａ  受体
１ｂ  受体
１ｃ  受体
１ｄ  受体
１ｅ  受体
１ｆ  受体
１ｇ  受体
１ｈ  受体
１ｉ  受体
２    挿し込み部
２ａ  挿し込み部
２ｂ  挿し込み部
２ｃ  挿し込み部
２ｄ  挿し込み部
２ｅ  挿し込み部
２ｆ  挿し込み部
２ｇ  挿し込み部
２ｈ  挿し込み部
２ｉ  挿し込み部
３    テーパ面
４    係合部
５    挿し込み体
５ａ  挿し込み体
５ｂ  挿し込み体
５ｃ  挿し込み体
５ｄ  挿し込み体
５ｅ  挿し込み体
５ｆ  挿し込み体
５ｇ  挿し込み体
５ｈ  挿し込み体
５ｉ  挿し込み体
６    挿し込み片
６ａ  挿し込み片
６ｂ  挿し込み片
６ｃ  挿し込み片
６ｄ  挿し込み片
６ｅ  挿し込み片
６ｆ  挿し込み片
６ｇ  挿し込み片
６ｈ  挿し込み片
６ｉ  挿し込み片
７    ベース地
８    補助部
８ｆ  補助部
８ｉ  補助部
９    スリットカット
１０  溶着
１１  窪み
１１ｉ  窪み
１２  通気孔
１３  補強リブ
【図１】
2011096424.tif 000003
【図２】
2011096424.tif 000004
【図３】
2011096424.tif 000005
【図４】
2011096424.tif 000006
【図５】
2011096424.tif 000007
【図６】
2011096424.tif 000008
【図７】
2011096424.tif 000009
【図８】
2011096424.tif 000010
【図９】
2011096424.tif 000011
【図１０】
2011096424.tif 000012
【図１１】
2011096424.tif 000013
【図１２】
2011096424.tif 000014
【図１３】
2011096424.tif 000015
【図１４】
2011096424.tif 000016
【国際調査報告】
2011096424.tif 000017
2011096424.tif 000018
2011096424.tif 000019
2011096424.tif 000020